(57)【要約】  【課題】  携帯時等の不使用時にはコンパクトにすることができ、使用時には、伸張して使用しやすい大きさを確保することができると共に筆記軸体の出没操作を不要とすることができる折り畳み式筆記具を提供する。  【解決手段】  筆記軸体３０を保持する先本体１０と、後本体２０とが屈曲可能に結合されており、該先本体１０と後本体２０とが折り畳まれると筆記軸体３０が退没位置に位置づけられて先本体１０内に退没し、先本体１０と後本体２０とが伸張されると該筆記軸体３０が前進位置に位置づけられて先本体１０の先端開口１０ａから突出する。【選択図】  図２
2005343048.tif 000002
【特許請求の範囲】
【請求項１】
筆記軸体を保持する先本体と、後本体とが屈曲可能に結合されており、該先本体と後本体とが折り畳まれると該筆記軸体が退没位置に位置づけられて先本体内に退没し、先本体と後本体とが伸張されると該筆記軸体が前進位置に位置づけられて筆記軸体の先端が先本体の先端から突出することを特徴とする折り畳み式筆記具。
【請求項２】
先本体と後本体とはヒンジ部によって結合されており、ヒンジ部には、カム部が設けられ、該カム部は、前記先本体と後本体との相対回転位置に応じて、前記筆記軸体を前進位置と退没位置とに選択的に切り替えることを特徴とする請求項１記載の折り畳み式筆記具。
【請求項３】
筆記軸体に連結されるスライドボタンが先本体の外周面に沿って摺動可能に配設されることを特徴とする請求項１または２記載の折り畳み式筆記具。
【請求項４】
先本体の周面には側面開口が形成されており、該側面開口を通して、前記筆記軸体にアクセス可能であることを特徴とする請求項１または２記載の折り畳み式筆記具。
【発明の詳細な説明】
【技術分野】
【０００１】
本発明は、折り畳み可能となった折り畳み式筆記具に関する。
【背景技術】
【０００２】
従来、筆記軸体が出没可能となった筆記具は、多々提案されているが、従来の筆記具は、筆記軸体が保持される本体の長さは不変である。そのため、使用する必要がないときには、その長さがある分だけ嵩張り、収納に不便であるという問題がある。
【０００３】
そのため、本体が折り畳み可能となった折り畳み式筆記具が特許文献１，２において提案されている。しかしながら、これらで提案される折り畳み式筆記具では、使用時に、本体を伸張した後に芯等の筆記軸体を突出させるためには、別途のノック操作を要するという問題がある。
【０００４】
【特許文献１】実開昭５９−１４０８７６号公報
【特許文献２】特開２００１−１２１８７５号公報
【発明の開示】
【発明が解決しようとする課題】
【０００５】
本発明は、かかる課題に鑑みなされたもので、その目的は、携帯時等の不使用時にはコンパクトにすることができ、使用時には、伸張して使用しやすい大きさを確保することができると共に筆記軸体の出没操作を不要とすることができる折り畳み式筆記具を提供することである。
【課題を解決するための手段】
【０００６】
上記目的を達成するために本発明のうち請求項１記載の発明は、筆記軸体を保持する先本体と、後本体とが屈曲可能に結合されており、該先本体と後本体とが折り畳まれると該筆記軸体が退没位置に位置づけられて先本体内に退没し、先本体と後本体とが伸張されると該筆記軸体が前進位置に位置づけられて筆記軸体の先端が先本体の先端から突出することを特徴とする。
【０００７】
請求項２記載の発明は、請求項１記載のものにおいて、先本体と後本体とはヒンジ部によって結合されており、ヒンジ部には、カム部が設けられ、該カム部は、前記先本体と後本体との相対回転位置に応じて、前記筆記軸体を前進位置と退没位置とに選択的に切り替えることを特徴とする。
【０００８】
請求項３記載の発明は、請求項１または２記載のものにおいて、筆記軸体に連結されるスライドボタンが先本体の外周面に沿って摺動可能に配設されることを特徴とする。
【０００９】
請求項４記載の発明は、請求項１または２記載のものにおいて、先本体の周面には側面開口が形成されており、該側面開口を通して、前記筆記軸体にアクセス可能であることを特徴とする。
【発明の効果】
【００１０】
本発明によれば、筆記具として使用する場合には、先本体と後本体とを伸張させることで、把持するのに十分な長さを確保することができ、使用に適したものとすることができる。一方、不使用の場合には、先本体を屈曲させて先本体と後本体とを折り畳むことでコンパクトに収納することができる。また、筆記軸体は、この先本体と後本体の伸張、折り畳みに連動して、出没動作を行なうために、筆記軸体を出没させるための別個の操作は不要となり、使い勝手の良いものとすることができる。また、折り畳まれたときには、筆記軸体が先本体内に退没しているために、筆記軸体の先端を保護するための構成は不要とすることができ、よりコンパクトな構成とすることができる。
【００１１】
請求項２記載の発明によれば、先本体と後本体とを屈曲可能に結合するヒンジ部に設けられたカム部によって、確実に筆記軸体を前進位置と退没位置とに選択的に切り替えるために、先本体と後本体との伸張、折り畳みに連動した筆記軸体の出没動作を確実に行なわせることができる。
【００１２】
請求項３記載の発明によれば、スライドボタンを操作して、筆記軸体を前進させて先本体の先端から十分に突出させることで、筆記軸体を摘んで先本体から引き抜くことができるようになる。
【００１３】
請求項４記載の発明によれば、側面開口からピン等を挿入して、筆記軸体を前進させて先本体の先端から十分に突出させることで、筆記軸体を摘んで先本体から引き抜くことができるようになる。
【発明を実施するための最良の形態】
【００１４】
以下、図面を用いて本発明の実施の形態を説明する。
【００１５】
図１ないし図７は、本発明の第１実施形態に係る折り畳み式筆記具を表す図である。図において、折り畳み式筆記具は、先本体１０と後本体２０とを有している。
【００１６】
先本体１０は、単一の部材で構成することもできるが、この例では、本体１２と本体カバー１４とからなり、両者が上下に嵌合した一体品となっている。本体１２と本体カバー１４とから構成される先本体１０の略矩形状の内部空間内には、筆記軸体３０が先本体１０に対して出没可能に保持されており、先本体１０の本体１２と本体カバー１４とのそれぞれの先端部によって構成される先端開口１０ａから、筆記軸体３０の先端３０ａが突出可能となっている。筆記軸体３０は、この例では、ボールペンレフィールとなっているが、任意の筆記軸体とすることができる。また、先本体１０の内部空間内には、筆記軸体３０の後部が着脱可能に挿入されて筆記軸体３０が連結される筆記軸体受け３２と、筆記軸体受け３２と先本体１０の内段部との間に介挿されたリターンスプリング３４とが内蔵されており、リターンスプリング３４によって筆記軸体受け３２と筆記軸体３０は常時後方へと付勢されている。
【００１７】
さらに、筆記軸体受け３２には、スライドボタン３６の基部３６ａが連結される。即ち、筆記軸体受け３２に形成された透孔３２ａにスライドボタン３６の基部３６ａが挿入されて係止されている。また、スライドボタン３６の基部３６ａは、先本体１０の周面に形成された側面開口１０ｂを挿通しており、スライドボタン３６の本体は、先本体１０の本体カバー１４の外面に形成された凹部１４ａ内を、先本体１０に沿って軸方向に摺動可能に配設される。
【００１８】
先本体１０と後本体２０とは、ヒンジ部２４によって屈曲可能に結合されている。ヒンジ部２４は、後本体２０の先端部の両側に一体的に形成された一対のヒンジピン２０ａと、先本体１０の本体１２と本体カバー１４のそれぞれの後端部に形成され該ヒンジピン２０ａが挿入されるピン受孔１０ｃ、１０ｃと、から構成され、先本体１０がヒンジピン２０ａの回りを回動可能となっている。
【００１９】
ヒンジ部２４には、さらに、後本体２０の先端部の一対のヒンジピン２０ａの間に形成されたカム部２０ｂが設けられている。カム部２０ｂには、前記リターンスプリング３４に付勢された前記筆記軸体受け３２の後端部が当接され、筆記軸体受け３２の後端部を受けて筆記軸体３０を前進位置と退没位置とに位置づけるための凸部２０ｃと凹部２０ｄとが形成されている。
【００２０】
また、後本体２０の図３中下面には、第１凹部２０ｅと第２凹部２０ｆが形成されている。
【００２１】
尚、先本体１０の本体１２と後本体２０の図３中上面に形成された凹部には、それぞれ飾りとして機能するシール部材１６、２２が嵌め込まれているが、これらのシール部材１６、２２は、省略可能である。シール部材の代わりに、付帯要素とすることもでき、付帯要素としては、例えば、携帯電話用画面磨き、鏡、静電気除電体、名札等とすることができる。また、後本体２０の後部には、フック孔２０ｇが形成されているが、省略することも可能である。
【００２２】
以上のように構成される折り畳み式筆記具において、その作用を説明する。
【００２３】
先本体１０と後本体２０とが図１ないし図３に示すように、使用状態にあるときには、先本体１０と後本体２０は、１８０度に開いた状態になるように伸張されており、先本体１０の先端開口１０ａから筆記軸体３０の先端３０ａが突出して、使用可能となっている。このとき、筆記軸体受け３２の後端部はカム部２０ｂの凸部２０ｃに当接しており、リターンスプリング３４の付勢力に抗して、カム部２０ｂの凸部２０ｃが筆記軸体受け３２及び筆記軸体３０を前方へ突出させて前進位置に位置づけており、これによって、筆記軸体３０の先端３０ａが先端開口１０ａから突出する状態を維持している。そして、伸張された先本体１０及び後本体２０を握って、筆記を行なうことができる。
【００２４】
次に使用が終了して、この折り畳み式筆記具をコンパクトにしたい場合には、先本体１０を後本体２０のヒンジピン２０ａの回りで略９０度回転すると、図５に示す状態になり、さらに略９０度回転すると、図６に示すように、完全に折り畳まれた状態となる。第１凹部２０ｅが本体カバー１４の突出している部分を収容し、第２凹部２０ｆがスライドボタン３６の突出している部分を収容するために、嵩張ることなく、よりコンパクトな形状に折り畳むことができる。
【００２５】
このとき、先本体１０と後本体２０との間の相対回転により、筆記軸体受け３２の後端部は、リターンスプリング３４の付勢力によりカム部２０ｂの周囲に沿って移動して、図６に示す状態においては、凹部２０ｄに当接する。このため、筆記軸体受け３２及び筆記軸体３０は後方へと移動するので、筆記軸体３０の先端は先本体１０の先端開口１０ａから退没して、筆記軸体３０は退没位置に位置づけられて、先本体１０内に完全に収納される。そのため、筆記軸体３０の先端を保護する目的で先本体１０の先端を覆う必要はない。
【００２６】
次に、筆記軸体３０の内容物が消耗して、筆記軸体３０の交換またはその内容物の補充をする場合について説明する。いずれの場合においても、筆記軸体３０を先本体１０から分離することが必要である。このために、スライドボタン３６を摺動させて本体カバー１４の凹部１４ａ内を最大限または最大限近くまでに前進させると、図７に示すように、リターンスプリング３４の付勢力に抗して、筆記軸体３０を前方に移動させ、筆記軸体３０の先端３０ａを先本体１０の先端開口１０ａから使用状態よりもさらに突出させることができる。そして、突出された筆記軸体３０を摘んで筆記軸体受け３２から引き抜くことにより、筆記軸体３０を先本体１０から分離することができる。
【００２７】
そして、新規の筆記軸体３０または内容物が補充された筆記軸体３０を先端開口１０ａから挿入して、筆記軸体受け３２に連結すると、再び使用ができるようになる。こうして、簡単に交換または補充を行なうことができる。
【００２８】
図８は、本発明の他の実施形態である。この例では、スライドボタン３６が省略されている点で、図１ないし図７に示した例とは異なっている。先本体１０には、同様に側面開口１０ｂが形成されている。そして、筆記軸体受け３２−１には、側面開口１０ｂに対向した位置に、穴部３２ｂが形成されている。
【００２９】
この例の場合には、筆記軸体３０の交換または内容物の補充を行なう際には、側面開口１０ｂから筆記具とは別部品であるピン４０を通して、筆記軸体受け３２−１の穴部３２ｂに挿入する。そしてピン４０を側面開口１０ｂ内で前進させると、リターンスプリング３４の付勢力に抗して、筆記軸体３０が前方に移動して、筆記軸体３０の先端３０ａを先本体１０の先端開口１０ａから使用状態よりもさらに大きく突出させることができる。そして、突出された筆記軸体３０を摘んで筆記軸体受け３２−１から引き抜くことにより、筆記軸体３０を先本体１０から分離することができる。こうして、前実施形態と同様に筆記軸体３０の交換または内容物の補充を行なうことができる。
【００３０】
但し、以上のように、スライドボタン３６を用いてまたは側面開口１０ｂを通して筆記軸体３０にアクセス可能とする他に、筆記軸体３０の先端３０ａが図２に示した程度に突出した状態であっても、工具を用いて筆記軸体３０を先本体１０から引き抜くことにより、筆記軸体３０を先本体１０から分離することができ、そのような方法で十分な場合には、スライドボタン３６や前記側面開口１０ｂは省略可能である。
【００３１】
尚、以上の実施形態において、先本体１０と後本体２０とを屈曲可能に連結するヒンジ構造において、先本体１０と後本体２０とのなす角度が略１８０度または略０度のときに、先本体１０と後本体２０との間の相対回転を停止させることができるように、両者を軽く係合するストッパー構造を設けることとしてもよい。このストッパー構造は、例えば、カム部２０ｂと先本体１０または筆記軸体受け３２（３２−１）との間、またはヒンジピン２０ａと先本体１０または筆記軸体受け３２（３２−１）との間に形成することができる。
【００３２】
このように以上の実施形態では、先本体１０と後本体２０とを折り畳み可能としているために、不使用時にはコンパクトにすることができ、携帯に便利にすることができる。また、使用時には伸張しやすい大きさを確保することができる。また、先本体１０と後本体１２の折り畳みと、筆記軸体３０の出没が連動しているために、筆記軸体３０の出没動作を行なう必要がなく、使い勝手の良いものとすることができる。
【図面の簡単な説明】
【００３３】
【図１】本発明の実施形態に係る折り畳み式筆記具の斜視図であり、(ａ)は伸張した状態、（ｂ）は折り畳まれた状態を表す。
【図２】本発明の実施形態に係る折り畳み式筆記具の側面図であり、伸張した状態を表す。
【図３】図１の折り畳み式筆記具の縦断面図である。
【図４】図３の４−４線に沿って見た断面図である。
【図５】本発明の実施形態に係る折り畳み式筆記具の縦断面図であり、図３の状態から先本体を略９０度回転した状態を表す。
【図６】本発明の実施形態に係る折り畳み式筆記具の縦断面図であり、図３の状態から先本体を略１８０度回転した状態を表す。
【図７】筆記軸体の交換または内容物の補充を行なうときの動作を表す縦断面図である。
【図８】本発明の他の実施形態に係る折り畳み式筆記具の縦断面図であり、筆記軸体の交換または内容物の補充を行なうときの動作を表す。
【符号の説明】
【００３４】
１０  先本体
１０ａ  先端開口
１０ｂ  側面開口
２０  後本体
２０ｂ  カム部
２０ｃ  凸部
２０ｄ  凹部
２４  ヒンジ部
３０  筆記軸体
３０ａ  先端
３６  スライドボタン
【図１】
2005343048.tif 000003
【図２】
2005343048.tif 000004
【図３】
2005343048.tif 000005
【図４】
2005343048.tif 000006
【図５】
2005343048.tif 000007
【図６】
2005343048.tif 000008
【図７】
2005343048.tif 000009
【図８】
2005343048.tif 000010